(57)【特許請求の範囲】
【請求項１】
走行車(1)と、該走行車(1)に搭載され貯留部を構成するボディ(2)と、該ボディ(2)の後部排出口に昇降回動可能に設けられている取込装置(3)を有し、
上記取込装置(3)はボックス(30)を有し、該ボックス(30)内にコンベヤパネル(31)及びラムパネル(32)を備え、
上記ボックス(30)の後部には、開口したテールゲート(33)を有し、該テールゲート(33)は、その内部の下側に設けられている一次貯留部(35)に投入するための投入口(36)を含む構成となっており、上記ボックス(30)の後部には、上記テールゲート(33)を開閉するゲートドア(34)を備えている塵芥収集車であって、
該塵芥収集車は、着脱可能に粉砕機(4)を有しており、
上記粉砕機(4)は、上記テールゲート(33)を構成する下側のフレームバー(330)に、上下方向に回動する台部材(40)に取り付けられ、テールゲート(33)の内部側に収納可能に設けられており、
上記投入口(36)は、上記粉砕機(4)を取り付けた状態で上記投入口(36)から塵芥の投入ができるように構成されており、
上記粉砕機(4)は、台部材(40)をテールゲート(33)から後方へ露出または突出させて粉砕作業ができるようにするセッティングと、台部材(40)を上方へ回動させてテールゲート(33)内に収納するセッティングの両様に選択的にセットすることが可能であり、
上記台部材(40)はハンドル(404)を有し、該ハンドル(404)の先端側にはテールゲート(33)上部の係合具(335)に係合するための係合レバー(405)が設けられており、
上記台部材(40)を上方へ回動して粉砕機(4)と共にテールゲート(33)内に収納し、係合具(335)と係合レバー(405)を係合させて固定することによって、センサが固定状態を感知しコンベヤパネル(31)とラムパネル(32)を規定位置から動かないようにする、
粉砕機を備えた塵芥収集車。
【請求項２】
粉砕機(4)を、粉砕機(4)の横方側と投入口(36)の後方側に作業者が作業を行うスペースを設けることができるよう投入口(36)から後方側へ突出させる構成とした、
請求項１記載の粉砕機を備えた塵芥収集車。
【発明の詳細な説明】
【技術分野】
【０００１】
本発明は、粉砕機を備えた塵芥収集車に関するものである。更に詳しくは、収集車を枝葉等の収集用と一般ゴミの収集用として使い分ける場合でも、それぞれの場合で粉砕機などの処理機の位置を変えたり着脱したりする煩雑な作業を行う必要がなく、枝葉等の粉砕作業中に同時にまたは並行して一般ゴミの投入もできるようにしたものに関する。
【背景技術】
【０００２】
自治体によるゴミの収集では、一般ゴミ（厨芥など）の他、例えば公園の樹木や街路樹あるいは一般民家の樹木の剪定によって生じた枝葉等も収集している。また、近年においては、枝葉等の収集にあたって、焼却処理などを行う際の取り扱い性を高めるために枝葉を現地で粉砕し、減容した状態で収集している。このような収集作業車としては、例えば特許文献１記載の収集車がある。
【０００３】
特許文献１記載の収集車は、投入物を収容可能な収容箱と、収容箱の開口部を開閉可能で投入物が投入される投入口を有するテールゲートとを備えており、テールゲートの投入口に投入物を粉砕する処理機が設けられている。処理機は上下方向に回動でき、下ろしたときには処理機の排出部が投入口を覆うように位置し、着脱も可能である。
【０００４】
この収集車によれば、処理機を投入口側に下ろした状態で処理機を利用し、枝葉を処理機により粉砕しながら収集作業を行なうことができると共に、処理機を上げるか取り外すことにより、処理機を使用する必要がない一般ゴミ等を投入口から投入し収集作業を行なうことができ、一台の収集作業車で枝葉等の収集用と一般ゴミの収集用として使い分けができる。
【０００５】
【特許文献１】特開平１０−３１６２０４
【発明の開示】
【発明が解決しようとする課題】
【０００６】
しかしながら、上記特許文献１記載の収集車には次のような課題があった。
すなわち、収集車を枝葉等の収集用と一般ゴミの収集用として使い分ける場合、枝葉等の粉砕収集では処理機を投入口側へ下ろした状態とし、一般ゴミの収集では処理機を上げるかまたは取り外した状態としなければならず、その都度処理機を動かすための作業が必要になる。このように、上記それぞれの場合で、処理機の位置を変えたり着脱したりするのは極めて煩雑な作業である。
【０００７】
また、収集車の処理機を下ろして枝葉の供給を行う際、処理機の供給口がテールゲートにごく近くなる。この状態で、枝葉を処理機の供給口に供給する作業を行う場合、作業者は供給口からの枝葉の飛び出しや跳ね上がりなどによる危険を回避するため、供給口の正面でなく横に立つのが望ましいが、処理する枝葉を処理機の後ろに積み上げると、これが邪魔になり作業者が立つ作業スペースを確保することが難しい。なお、枝葉を処理機から離れた所に積み上げて作業をすれば、作業スペースは確保できても作業の効率が悪くなってしまう。
【０００８】
更に、処理機の使用は処理機を投入口側へ下ろした状態で行われ、粉砕された処理物は収容箱に必ず入るようになっており、一旦収容箱に入った粉砕物は容易には外へ取り出すことができない。このため、枝葉を収集する現地で処理機を使用して枝葉を粉砕し、その粉砕物を収集車の収容箱以外の容器に直接入れたり地面に落とすなどして集め、例えば肥料の原料として利用するなど、通常の焼却以外の処理を行うというような使い方はできない。
【０００９】
（本発明の目的）
本発明の目的は、収集車を枝葉等の収集用と一般ゴミの収集用として使い分ける場合でも、それぞれの場合で粉砕機の位置を変えたり着脱したりする煩雑な作業を行う必要がなく、枝葉等の粉砕作業中に同時にまたは並行して一般ゴミの投入もできるようにした粉砕機を備えた塵芥収集車を提供することである。
【００１０】
本発明の他の目的は、収集車の粉砕機を使用する際、粉砕機の供給口とテールゲートの間に所要の距離を設けて、処理する枝葉を粉砕機の後ろに積み上げたときにもこれが邪魔にならないようにし、テールゲートの後方側に作業者が作業を行うための十分なスペースを確保することができるようにした粉砕機を備えた塵芥収集車を提供することである。
【００１１】
本発明の更に他の目的は、必要なときには、枝葉を収集する現地において粉砕機を使用して枝葉を粉砕し、その粉砕物を収集車の収容箱以外の容器に直接入れたり地面に落とすことができるようにし、この粉砕物を、例えば生ごみを堆肥化または肥料化する際の水分調整材や原料として利用して堆肥または肥料の製造の効率化を図ったり、また、一般民家での枝葉収集時に剪定枝葉の粉砕物を自宅のガーデニングや堆肥材料として分けてほしいという要望に応えるなど、通常の焼却以外の処理を行うというような使い方ができる粉砕機を備えた塵芥収集車を提供することである。
【課題を解決するための手段】
【００１２】
上記課題を解決するために本発明が講じた手段は次のとおりである。
本発明は、
走行車と、該走行車に搭載され貯留部を構成するボディと、該ボディの後部排出口に昇降回動可能に設けられている取込装置を有し、
上記取込装置はボックスを有し、該ボックス内にコンベヤパネル及びラムパネルを備え、
上記ボックスの後部には、開口したテールゲートを有し、該テールゲートは、その内部の下側に設けられている一次貯留部に投入するための投入口を含む構成となっており、上記ボックスの後部には、上記テールゲートを開閉するゲートドアを備えている塵芥収集車であって、
該塵芥収集車は、着脱可能に粉砕機を有しており、
上記粉砕機は、上記テールゲートを構成する下側のフレームバーに、上下方向に回動する台部材に取り付けられ、テールゲートの内部側に収納可能に設けられており、
上記投入口は、上記粉砕機を取り付けた状態で上記投入口から塵芥の投入ができるように構成されており、
上記粉砕機は、台部材をテールゲートから後方へ露出または突出させて粉砕作業ができるようにするセッティングと、台部材を上方へ回動させてテールゲート内に収納するセッティングの両様に選択的にセットすることが可能であり、
上記台部材はハンドルを有し、該ハンドルの先端側にはテールゲート上部の係合具に係合するための係合レバーが設けられており、
上記台部材を上方へ回動して粉砕機と共にテールゲート内に収納し、係合具と係合レバーを係合させて固定することによって、センサが固定状態を感知しコンベヤパネルとラムパネルを規定位置から動かないようにする、
粉砕機を備えた塵芥収集車である。
【００１３】
（削除）
【００１４】
本発明は、
台部材を、粉砕機を使用可能な位置に設定したとき、台部材に取り付けられた粉砕機の取付部の高さが台部材の取付部の高さより低くなるよう形成するのがより好ましい。
【００１５】
本発明は、
粉砕機を、粉砕機の横方側と投入口の後方側に作業者が作業を行うスペースを設けることができるよう投入口から後方側へ突出させる構成とするのがより好ましい。
【００１６】
本発明は、
粉砕機を、投入口から離れる方向に動く可動体に取り付け、可動体を動かして粉砕機を投入口から離して粉砕作業ができる構成とするのがより好ましい。
【００１７】
（作用）
本発明に係る粉砕機を備えた塵芥収集車の作用を説明する。なお、ここでは、説明で使用する各構成要件のそれぞれに、後述する実施の形態において各部に付与した符号を対応させて付与するが、この符号は、特許請求の範囲の各請求項に記載した符号と同様に、あくまで説明の理解を容易にするためであって、各構成要件の意味を上記各部に限定するものではない。
【００１８】
本発明に係る粉砕機を備えた塵芥収集車(A)によって、剪定された枝葉等の粉砕収集と塵芥の収集を行う場合の作用を説明する。
塵芥収集車(A)で一般ゴミの収集のみを行う場合は、粉砕機(4)を取り外しておくこともできるが、取り付けたままでも支障はない。なお、塵芥収集車(A)を走行させるときは、テールゲート(33)内に粉砕機(4)を収納し、ゲートドアがある場合はゲートドア(34)を閉める。
【００１９】
塵芥収集車(A)で収集箇所を巡回する。収集箇所では、塵芥収集車(A)を停車し、テールゲート(33)のゲートドア(34)を開け、粉砕機(4)をテールゲート(33)から外へ出して粉砕作業ができるようにセットする。
【００２０】
枝葉等（例えば剪定されたもの）を粉砕収集する場合は、作業者は枝葉等を粉砕機(4)の近くに積み上げるなどして集める。そして粉砕機(4)を作動させ、枝葉等を粉砕機(4)に供給して順次粉砕する。粉砕物は、破砕機(4)のうち投入口(36)内に位置している排出側から投入口(36)に投入される。
投入口(36)内（具体的には、コンベヤパネル(31)先端が沿うように移動する断面円弧状の一次貯留部(35)上）に粉砕物がある程度溜まったらコンベヤパネル(31)（回転板ともいう）を作動させ、更にラムパネル(32)（押出板ともいう）によって粉砕物を押し込んで貯留部(2)に入れる。
【００２１】
一般ゴミを収集する場合は、粉砕機(4)の位置や状態を変えずにそのままにしておくことができる。その場合は、コンベヤパネル(31)を作動させ、投入口(36)のうち粉砕機(4)を取り付けた状態で塵芥の投入ができるように開口した部分から一般ゴミを投入し、コンベヤパネル(31)とラムパネル(32)によって取り込んで貯留部(2)に入れる。
【００２２】
このように、本発明に係る塵芥収集車(A)によれば、収集車を枝葉等の収集用と一般ゴミの収集用として使い分ける場合でも、それぞれの場合で粉砕機(4)の位置を変えたり着脱したりする煩雑な作業を行う必要がなく、場合によっては枝葉等の粉砕作業中に同時に一般ゴミの投入もできる。
【００２３】
粉砕機(4)を、粉砕機(4)の横側かつ投入口(36)の後方側に作業者が作業を行うスペースを設けることができるよう投入口(36)から後方側へ突出させる構成としたものにあっては、作業者は粉砕機(4)への枝葉等の供給作業と、投入口(36)への一般ゴミの投入作業の両方の作業を安全かつ効率よく行うことができるポジションをとることができる。
【００２４】
すなわち、作業者が上記ポジションをとることにより、枝葉を粉砕機(4)の供給口(41)に供給する作業を行う場合、作業者は粉砕機(4)の横にいることができ供給口(41)の正面側にいなくてすむ。これにより、枝葉等を供給口(41)に供給して粉砕機(4)が粉砕するときに枝葉の飛び出しや跳ね上がりが起こっても作業者に危険が及ぶことを回避できる。また、作業者の上記ポジションは投入口(36)のすぐ後ろでもあるので、一般ゴミを併せて投入する場合でも作業が容易にできる。
【００２５】
なお、処理する枝葉等を粉砕機(4)の供給口(41)の正面側に積み上げても、作業者の立ち位置は粉砕機(4)の横側であるので、積み上げられた枝葉等が作業の邪魔になることはない。更には、作業スペースを確保するために、集めた枝葉等を粉砕機(4)から離れた場所に積み上げて、結果的に作業効率を落としてしまうこともない。
【００２６】
粉砕機(4)は可動体(339)に取り付けられており、可動体(339)を動かして粉砕機(4)を投入口(36)から離して粉砕作業ができる構成としたものは、通常は粉砕機(4)を投入口(36)またはその近傍に位置させて、粉砕物を排出側から投入口に投入できるようにしておく。
そして、必要なときには、粉砕機(4)を投入口(36)から離して、粉砕物を収集車の貯留部(2)以外の容器に直接入れたり、あるいは地面に直接落とすことができる。これによって、粉砕物を肥料の原料として利用するなど、通常の焼却以外の処理を行うというような使い方ができる。
【００２７】
台部材(40)を、粉砕機(4)を使用可能な位置に設定したとき、台部材(40)に取り付けられた粉砕機(40)の取付部の高さが台部材(40)の取付部の高さより低くなるよう形成されているものは、作業者が枝葉等を投入口(36)に入れるときの動線が短くなり、例えば剪定した枝葉が重い場合でも作業が効率よく容易にできる。
【発明の効果】
【００２８】
（ａ）本発明に係る粉砕機を備えた塵芥収集車によれば、収集車を枝葉等の収集用と一般ゴミの収集用として使い分ける場合でも、それぞれの場合で粉砕機の位置を変えたり着脱したりする煩雑な作業を行う必要がない。また、枝葉等の粉砕作業中に同時に一般ゴミの投入もできる。
また、台部材を上方へ回動して粉砕機と共にテールゲート内に収納し、係合具と係合レバを係合させて固定することによって、センサが固定状態を感知しコンベヤパネルとラムパネルを規定位置から動かないようにすることによって、テールゲート内に収まった粉砕機とコンベヤパネル及びラムパネルが接触して破損することを防止できる。
【００２９】
（ｂ）粉砕機を、粉砕機の横側かつ投入口の後方側に作業者が作業を行うスペースを設けることができるよう投入口から後方側へ突出させる構成としたものにあっては、作業者は粉砕機への枝葉等の供給作業と、投入口への一般ゴミの投入作業の両方の作業を安全かつ効率よく行うことができるポジションをとることができる。
【００３０】
（ｃ）粉砕機は可動体に取り付けられており、可動体を動かして粉砕機を投入口から離して粉砕作業ができる構成としたものは、必要なときには、粉砕機を投入口から離して、粉砕物を収集車の貯留部以外の容器に直接入れたり、あるいは地面に直接落とすことによって、粉砕物を肥料の原料として利用するなど、通常の焼却以外の処理を行うというような使い方ができる。
【発明を実施するための最良の形態】
【００３１】
本発明を図に示した実施例に基づき詳細に説明する。
【実施例】
【００３２】
図１は本発明に係る塵芥収集車の一実施の形態を示し粉砕機を使用位置にセットした状態の概略側面図、
図２は図１の塵芥収集車の概略後面図、
図３は塵芥収集車の粉砕機を使用位置にセットした状態の斜視説明図、
図４は図３に示す状態の概略断面説明図、
図５は塵芥収集車の粉砕機を台部材とともにテールゲート内に収納して固定した状態の斜視説明図、
図６は図５に示す状態の概略断面説明図、
図７は使用位置にセットした粉砕機の取付構造を示す側面視説明図、
図８は収納位置にセットした粉砕機の取付構造を示す側面視説明図、
図９はコンベヤパネルを動かす油圧モータの駆動と、粉砕機の回転ロータを動かす油圧モータの駆動及び噛込機を動かす油圧モータの駆動を行う制御システムの説明図である。
【００３３】
粉砕機を備えた塵芥収集車Ａは、走行車１と、走行車１に搭載され貯留部を構成するボディ２と、ボディ２の後部排出口（符号省略）に昇降回動可能に設けられている取込装置３及び粉砕機４を有している。なお、塵芥収集車Ａの走行車１、ボディ２及び取込装置３は公知の一般的構造を有しているので、これらの構造についての詳細な説明は省略するか、概略の説明に止める。
【００３４】
取込装置３は、上記したようにボディ２の後部に開口した後部排出口に上下方向に昇降回動可能に設けられている。
取込装置３は、サイドカバーやテールゲートカバーなどのフレーム板によって形成されたボックス３０内に、取込装置３を昇降回動させる油圧シリンダー、コンベヤパネル３１を動かす油圧モータ（図示省略）、ラムパネル３２を動かす油圧シリンダー（図示省略）などを備えている。なお、コンベヤパネル３１及びラムパネル３２は図１に図示しており、図３ないし図６においては省略している。
【００３５】
ボックス３０の後部には、やや大きく四角形状に開口したテールゲート３３を有している。テールゲート３３は、その内部の下側に設けられている一次貯留部３５に投入するための投入口３６を含む構成となっている。ボックス３０の後部には、テールゲート３３を開閉することができるゲートドア３４を備えている。ゲートドア３４は、折り畳み式で下端両側がテールゲート３３の両側部に設けられたガイド３３８に沿って下降することによりテールゲート３３の開口部（投入口３６を含む）を閉じ、上昇することにより開口部を開ける構造である。
【００３６】
テールゲート３３を構成する下側のフレームバー３３０の長手方向中央部には、粉砕機４が、上下方向に回動する台部材４０を介在させて設けられている。粉砕機４はフレームバー３３０の中央部に限らず端側に設けてもよい。粉砕機４は、後述するようにフレームバー３３０から台部材４０ごと取り外しが可能である。
また、粉砕機４は、台部材４０を水平にしてテールゲート３３から後方へ露出または突出させて粉砕作業ができるようにするセッティングと、台部材４０を上方へ回動させてテールゲート３３内に収納し走行に支障のないようにするセッティングの両様に選択的にセットすることが可能である。そして、粉砕機４で粉砕作業ができるようにしたセッティングでは、粉砕機４の両側に投入口３６を有する構成となり、投入口３６から一般ゴミの投入ができる。
【００３７】
上記台部材４０は、金属製、例えば鉄製で断面コ字状の部材を二本の平行な縦材４０１とし、それらの中間部と先端部を補強のための部材４０２、４０３で連結した構造である。また、各縦材４０１の先端にコ字状のハンドル４０４が設けられている。ハンドル４０４の先端側の中央にはテールゲート３３上部の係合具３３５に係合するための係合レバー４０５が設けられている。そして、台部材４０は、各縦材４０１の基端がフレームバー３３０の上面二箇所に設けられた軸受アングル３３１に軸３３２を介して回動可能かつ取り外し可能に取り付けられている。
【００３８】
また、フレームバー３３０の後面側（車体後部側）には、上記各縦材４０１に対応する位置に取付アングル３３３が設けられている。取付アングル３３３には、各縦材４０１を支持する支持アングル３３６が取り付けられている。各支持アングル３３６は、上下方向に回動可能であり、上回動位置（図７に示した位置）と下回動位置（図８に示した位置）において、取付アングル３３３の上下と支持アングル３３６の中間に設けられた係合孔３００にピン（図示省略）を差し込むことによって固定可能である。
【００３９】
各縦材４０１には各支持アングル３３６に対応して係合アングル４０６が設けられている。支持アングル３３６と係合アングル４０６にはそれぞれ係合孔４００が設けられ、これらの位置を合わせて係合ピン３３４を通して装着することにより、台部材４０はほぼ水平状態で固定される。
なお、符号４０７はねじりコイルバネを利用した付勢バネであり、粉砕機４を取り付けた台部材４０を上回動方向へ付勢することによって、下回動方向への急激な落下を防止すると共に、収納時の上回動方向への操作をアシストすることができる。
【００４０】
台部材４０に、ゴム製のマウント部材４４を介在させて固定された粉砕機４は、開口部が四角形でホッパー形状の投入部４１を有している。投入部４１の奥側（粉砕機４が水平状態のときの走行車１の進行方向側）には、樹木の枝葉等を噛み込んで送り込む噛込機４２を備えている。噛込機４２下部には交換可能に装着された固定刃（図示省略）があり、噛込機４２の奥側には、供給された枝葉等を粉砕することができるカッターや、ハンマー（図示省略）を有する回転ロータ４３を備えている。カッターやハンマーは粉砕対象物に合わせて、カッターのみでの粉砕やハンマーのみでの粉砕、またはカッターとハンマーを合わせて粉砕するなど選択ができる。回転ロータ４３の更に奥側の排出側にはスクリーン（図示省略）が設けられている。また、排出口４８は、台部材４０を水平にして粉砕機４をセットしたときに、一次貯留部３５の上方に位置しており、排出される粉砕物を一次貯留部３５上に投入することができる。
【００４１】
また、投入部４１は折り畳み可能に形成されている。詳しくは、投入部４１は粉砕機本体（符号省略）に取り付けてある基部体４１２を有している。基部体４１２の先端下部には側面視で直角三角形状の開口体４１０が下側の直角部を軸４１１によって軸着し、図７において上下方向に回動可能に取り付けられている。開口体４１０は、図７に示す状態から右方向へは回動しないようになっている。また、開口体４１０は回動時において開口体４１０の両側壁（符号省略）が基部体４１２の側板の外側に沿って動き重なることができるようになっている（図８参照）。符号４１３は非常停止スイッチである。
【００４２】
投入部４１は、粉砕作業で使用する際には先部が上記ハンドル４０４より突出するようになっているが（図７参照）、テールゲート３３内に収納するときは、投入部４１の先部側の開口体４１０を回動させて折り畳み、ハンドル４０４から突出しないようにすることで支障なく収納できる（図８参照）。なお、台部材４０を上方へ回動して粉砕機４と共にテールゲート３３内に収納し、係合具３３５と係合レバー４０５を係合させて固定することによって、センサ（図示省略）が固定状態を感知しコンベヤパネル３１とラムパネル３２を規定位置（図１に示した位置）から動かないようにする。これによって、テールゲート３３内に収まった粉砕機４とコンベヤパネル３１及びラムパネル３２が接触して破損することを防止している。
【００４３】
図９を参照し、本実施の形態に係る塵芥収集車Ａのコンベヤパネル３１を動かす油圧モータＭ１の駆動と、粉砕機４の回転ロータ４３を動かす油圧モータＭ２の駆動及び噛込機４２を動かす油圧モータＭ３の駆動を行う制御システムについて説明する。
【００４４】
塵芥収集車Ａの上記駆動用の油圧系統は１系統で、コンベヤパネル３１を動かす油圧モータＭ１を駆動するラインと、粉砕機４の回転ロータ４３を動かす油圧モータＭ２及び噛込機４２を動かす油圧モータＭ３を駆動するラインを切替バルブＶの操作によって切り替える構造となっている。したがって、コンベヤパネル３１と粉砕機４は同時には駆動されない。なお、油圧系統を増やしてこれらを同時に駆動することもできる。
【００４５】
回転ロータ４３を動かす油圧モータＭ２は主ポンプＰ１で駆動される。回転ロータ４３の回転軸４３１は、ポンプＰ２を連動させるようになっている。このポンプＰ２によって噛込機４２を動かす油圧モータＭ３が駆動される。
そして、粉砕機４の駆動においては、例えば回転ロータ４３に供給された枝葉等が多すぎて一度に大きな負荷がかかった場合、回転ロータ４３の回転数が下がるとセンサ４７が感知し、コントロール基盤４６で電磁弁４５を操作し、噛込機４２が自動的に停止し枝葉等の供給が停止されるように制御が行われる。また、回転ロータ４３の回転数が上がると自動的に噛込機４２が回転し、枝葉等は回転ロータ４３に供給される。
【００４６】
（作用）
本実施の形態に係る塵芥収集車Ａによって、剪定された枝葉等の粉砕収集と塵芥の収集を行う場合の作用を説明する。
塵芥収集車Ａで一般ゴミの収集のみを行う場合は、粉砕機４をあらかじめ台部材４０ごとフレームバー３３０から取り外しておくこともできるが、取り付けたままでも支障はない。なお、塵芥収集車Ａを走行させるときは、台部材４０を上方へ回動させてテールゲート３３内に台部材４０と粉砕機４を収容し、ゲートドア３４を下ろして閉める。
【００４７】
塵芥収集車Ａで収集箇所を巡回する。収集箇所では、塵芥収集車Ａを停車し、図５に示すようにテールゲート３３のゲートドア３４を開け、図１、図２、図３に示すように台部材４０を下方へ回動させ水平にして固定し、粉砕機４をテールゲート３３から外へ出して粉砕作業ができるようにセットする。
この状態では、粉砕機４がテールゲート３３から後方へ突出し、粉砕機４の横側かつ投入口３６の後方側に作業者が作業を行うスペースＳが設けられる。
【００４８】
剪定された枝葉等を粉砕する場合は、作業者は枝葉等を粉砕機４の近くに積み上げるなどして集める。そして粉砕機４を作動させる。作業者は枝葉等を粉砕機４の投入部４１に運び込み、順次供給して噛込機４２で噛み込ませ、回転ロータ４３によって粉砕する。粉砕物は、破砕機４のうち投入口３６内（一次貯留部３５の上方）に位置している排出口から投入口３６を通り一次貯留部３５に投入される。一次貯留部３５の上に粉砕物がある程度溜まったらコンベヤパネル３１を作動させて粉砕物を取り込み、更にラムパネル３２によって粉砕物を押し込んで貯留部であるボディ２内部に入れる。
【００４９】
また、一般ゴミを収集する場合は、粉砕機４をテールゲート３３から外方へ出した状態で、コンベヤパネル３１を作動させ、投入口３６のうち粉砕機４の横方向両側の開口した部分から一般ゴミを一次貯留部３５へ投入し、コンベヤパネル３１とラムパネル３２によって取り込んで貯留部であるボディ２内部に入れる。
【００５０】
このように、本実施の形態に係る塵芥収集車Ａによれば、収集車を枝葉等の収集用と一般ゴミの収集用として使い分ける場合でも、それぞれの場合で粉砕機４の位置を変えたり着脱したりする煩雑な作業を行う必要がなく、場合によっては枝葉等の粉砕作業中に同時に一般ゴミの投入もできる。
【００５１】
なお、作業者は上記スペースＳに立つことにより粉砕機４への枝葉等の供給作業と、投入口３６への一般ゴミの投入作業の両方の作業を安全かつ効率よく行うことができるポジションをとることができる。すなわち、作業者が上記ポジションをとることにより、枝葉を粉砕機４の投入部４１に供給する作業を行う場合、作業者は粉砕機４の横にいることができ必ずしも投入部４１の正面側に位置しなくてすむので、枝葉等を投入部４１に供給して粉砕機４の回転ロータ４３が粉砕するときの枝葉の飛び出しや跳ね上がりが起こっても作業者に危険が及ぶことを回避できる。また、作業者の上記ポジションは投入口３６のすぐ後ろでもあるので、一般ゴミを併せて投入する場合でも作業が容易にできる。
【００５２】
また、処理する枝葉等を粉砕機４の投入部４１の正面側に積み上げても、作業者の立ち位置は粉砕機４の横側であるので、積み上げられた枝葉等が作業の邪魔になることはなく、粉砕機４の投入部４１正面側のすぐ近くに枝葉等を集めることができるので、枝葉等を供給する際の作業者の作業時の動線を短くし動きを小さくすることができるので、粉砕作業を効率よく行うことができる。
【００５３】
図１０は粉砕機の取付構造の他の実施の形態を示し、（ａ）は正面図、（ｂ）は平面図である。
【００５４】
本実施の形態に係る塵芥収集車においては、粉砕機４を収集車と一体となった状態で投入口３６から離して粉砕作業ができる構成としたもので、他の部分の構成については上記塵芥収集車Ａと同様である。
本実施の形態では、テールゲート３３を構成する下部のフレームバー３３０の上部に可動バー３３９を備えている。可動バー３３９は、一端側（図１０では左側）を軸支し水平方向に回動可能にしてある。可動バー３３９は、フレームバー３３０の上に重なった位置においては可動バー３３９とフレームバー３３０に設けられた係合孔３０１に係合ピン３０２を差し込んで固定できる。また、可動バー３３９は、フレームバー３３０と直角位置において、回動中心寄りに固定部材３０３を掛けて固定できる。可動バー３３９の固定には、他の固定手段を採用してもよい。
【００５５】
粉砕機４は、この可動バー３３９の長手方向中央部に台部材４０を介在させて設けられている。粉砕機４は、可動バー３３９から台部材４０ごと取り外しが可能である。更には、粉砕機４は、フレームバー３３０から可動バー３３９ごと取り外すこともできる。
また、粉砕機４は、可動バー３３９をフレームバー３３０の上に重ねて固定し、台部材４０を水平にしてテールゲート３３から後方へ露出または突出させて粉砕作業ができるようにするセッティングと、台部材４０を上方へ回動させてテールゲート３３内に収納し固定して走行に支障のないようにするセッティングの両様に選択的にセットすることが可能である。そして、粉砕機４で粉砕作業ができるようにしたセッティングでは、粉砕機４の両側に投入口３６を有する構成となり、投入口３６から一般ゴミの投入ができる。
【００５６】
また、本実施の形態では、可動バー３３９をフレームバー３３０に対して水平方向に直角になった位置で固定できる。この状態では、粉砕機４が投入口３６から離れており、粉砕機４によって枝葉等を粉砕した粉砕物を収集車の貯留部であるボディ２ではなく、別に用意した容器に直接入れたり、あるいは地面に直接落とすことができるようにし、この粉砕物を、例えば生ごみを堆肥化または肥料化する際の水分調整材や原料として利用して堆肥または肥料の製造の効率化を図ったり、また、一般民家での枝葉収集時に剪定枝葉の粉砕物を自宅のガーデニングや堆肥材料として分けてほしいという要望に応えるなど、通常の焼却以外の方法で処理することも可能になる。
【００５７】
図１１は台部材の取付構造の他の実施形態を示す側面視説明図である。
本実施の形態では、台部材４０ａの縦部材４０１ａは、基部材４０１ｂと取付部材４０１ｃで構成されている。基部材４０１ｂは、軸受アングル３３１に回動可能に軸着されており、基部材４０１ｂの先部には、締付具４０９によって基部がＬ字状の取付部材４０１ｃの先部が取り付けられている。また、締付具４０９は取付部材４０１ｃに設けられたガイド溝４０８を貫通して締め付けられる。なお、他の部分の取付、支持構造などは上記実施の形態と同様である。
【００５８】
上記構造によれば、図１１に示すように台部材４０ａを構成する取付部材４０１ｃがフレームバー３３０の上面より低くなり、台部材４０ａを水平に固定して粉砕機４を使用状態にセットしたときに、粉砕機４の高さを上記実施の形態に比べて低く設定することができる。これにより、作業者が枝葉等を投入部４１に入れるときの動線が短くなり、剪定した枝葉が重い場合でも作業が効率よく容易にできる。
【００５９】
なお、台部材４０ａと粉砕機４のテールゲート３３内への収納は次のように行う。
まず、係合ピン３３４を抜き、基部材４０１ｂと取付部材４０１ｃを締付具４０９で固定したまま、台部材４０ａを上昇回動させ、上記実施の形態と同様に台部材４０ａを固定しする。そして、締付具４０９を緩め、取付部材４０１ｃのガイド溝４０８を締付具４０９に沿わせて、テールゲート３３内部側へ移動させ、取付部材４０１ｃがゲートドア３４を締めるときに邪魔にならないようにする。また、この状態で締付具４０９を締め付けて基部材４０１ｂと取付部材４０１ｃを固定しておく。
【００６０】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００６１】
【図１】本発明に係る塵芥収集車の一実施の形態を示し粉砕機を使用位置にセットした状態の概略側面図。
【図２】図１の塵芥収集車の概略後面図。
【図３】塵芥収集車の粉砕機を使用位置にセットした状態の斜視説明図。
【図４】図３に示す状態の概略断面説明図。
【図５】塵芥収集車の粉砕機を台部材とともにテールゲート内に収納して固定した状態の斜視説明図。
【図６】図５に示す状態の概略断面説明図。
【図７】使用位置にセットした粉砕機の取付構造を示す側面視説明図。
【図８】収納位置にセットした粉砕機の取付構造を示す側面視説明図。
【図９】コンベヤパネルを動かす油圧モータの駆動と、粉砕機の回転ロータを動かす油圧モータの駆動及び噛込機を動かす油圧モータの駆動を行う制御システムの説明図。
【図１０】粉砕機の取付構造の他の実施の形態を示し、（ａ）は正面図、（ｂ）は平面図。
【図１１】台部材の取付構造の他の実施形態を示す側面視説明図。
【符号の説明】
【００６２】
Ａ  塵芥収集車
１  走行車
２  ボディ
３  取込装置
３０  ボックス
３１  コンベヤパネル
３２  ラムパネル
３３  テールゲート
３３０  フレームバー
３３１  軸受アングル
３３２  軸
３３３  取付アングル
３３４  係合ピン
３３５  係合具
３３６  支持アングル
３３８  ガイド
３４  ゲートドア
３５  一次貯留部
３６  投入口
４  粉砕機
４０  台部材
４０１  縦材
４０２、４０３  部材
４０４  ハンドル
４０５  係合レバー
４０６  係合アングル
４００  係合孔
４０７  付勢バネ
４１  投入部
４１０  開口体
４１１  軸
４１２  側板
４２  噛込機
４３  回転ロータ
４３１  回転軸
４４  マウント部材
４５  電磁弁
４６  コントロール基盤
４７  センサ
４８  排出口
Ｐ１  主ポンプ
Ｐ２  ポンプ
Ｖ  切替バルブ
Ｍ１  油圧モータ
Ｍ２  油圧モータ
Ｍ３  油圧モータ
３３９  可動バー
３００  係合孔
３０１  係合孔
３０２  係合ピン
３０３  固定部材
４０ａ  台部材
４０１ａ  縦部材
４０１ｂ  基部材
４０１ｃ  取付部材
４０８  ガイド溝
４０９  締付具
【図１】
0004799190.tif 000002
【図２】
0004799190.tif 000003
【図３】
0004799190.tif 000004
【図４】
0004799190.tif 000005
【図５】
0004799190.tif 000006
【図６】
0004799190.tif 000007
【図７】
0004799190.tif 000008
【図８】
0004799190.tif 000009
【図９】
0004799190.tif 000010
【図１０】
0004799190.tif 000011
【図１１】
0004799190.tif 000012